(57)【要約】【課題】複数のメトロノームが同期して同じタイミングで、テンポを光や音で提示することができる電子メトロノームを提供する。【解決手段】少なくとも基準となるタイミングとテンポとを規定する所定の同期信号を受ける受信手段（送受信部１０５，アンテナ１０５ａ）と、同期信号に基づくタイミングでテンポを提示する提示手段（ＬＥＤ１１１，音源１１２，スピーカー１１３）とを備え、さらには、同期信号を送信する送信手段（送受信部１０５，アンテナ１０５ａ）を備える。【選択図】        図２
2004317404.tif 000002
【特許請求の範囲】
【請求項１】
電子メトロノームにおいて、
少なくとも基準となるタイミングとテンポとを規定する所定の同期信号を受ける受信手段と、
前記同期信号に基づくタイミングで前記テンポを提示する提示手段と、を具備する
ことを特徴とする電子メトロノーム。
【請求項２】
前記同期信号を送信する送信手段を、さらに具備する
ことを特徴とする請求項１に記載の電子メトロノーム。
【請求項３】
前記同期信号は、無線通信により供給される
ことを特徴とする請求項１または請求項２に記載の電子メトロノーム。
【発明の詳細な説明】
【０００１】
【発明の属する技術分野】
本発明は、電子メトロノームに関する。
【０００２】
【従来の技術】
従来よりある振り子式（機械式）のメトロノームの他、現在では各種電子メトロノームの技術が提案されている。
特許文献１に記載の電子メトロノームは、シーケンサから与えられるＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データに基づく所定のテンポを、ＬＥＤ（Ｌｉｇｈｔ−Ｅｍｉｔｔｉｎｇ  Ｄｉｏｄｅ）の発光により演奏者に提示するものである。
また、特許文献２に記載の電子メトロノームは、その本体を叩いた衝撃の振動を検出し、この検出した信号の周期からメトロノームの放音速度を決定するようにしたものである。
また、特許文献３に記載の電子メトロノームは、スイッチ開閉のテンポ間隔に基づくテンポの設定や、マニュアル操作によるテンポの選択を行えるようにしたものである。
【０００３】
【特許文献１】
特開２０００−８８９７７号公報
【特許文献２】
特開２００１−１４１８５２号公報
【特許文献３】
特公平３−２３８７７号公報
【０００４】
【発明が解決しようとする課題】
こうした従来のメトロノーム（電子メトロノームを含む）は、それぞれが自立してそれぞれに設定されたタイミングでテンポを音や光で提示する。したがって、複数人が合同で練習をする際などに複数のメトロノームを用いた場合、それぞれのメトロノームは、ばらばらのタイミングでテンポを提示するので、１台のメトロノームしか使用できなかった。一方、１台のメトロノームを複数人で使用すると、見えなかったり音が聞こえなかったりして、うまく合わせることができないという問題があった。
【０００５】
本発明は、上記の点に鑑みてなされたもので、複数のメトロノームが同期して同じタイミングで、テンポを光や音で提示することができる電子メトロノームを提供するものである。
【０００６】
【課題を解決するための手段】
上記課題を解決するため、請求項１に記載の発明は、電子メトロノームにおいて、少なくとも基準となるタイミングとテンポとを規定する所定の同期信号を受ける受信手段と、前記同期信号に基づくタイミングで前記テンポを提示する提示手段と、を具備することを特徴としている。
また、請求項２に記載の発明は、請求項１に記載の電子メトロノームにおいて、前記同期信号を送信する送信手段を、さらに具備することを特徴としている。また、請求項３に記載の発明は、請求項１または請求項２に記載の電子メトロノームにおいて、前記同期信号が、無線通信により供給されることを特徴としている。
【０００７】
請求項１に記載の電子メトロノームは、少なくとも基準となるタイミングとテンポを規定する所定の同期信号を受け、この同期信号に基づくタイミングで前記テンポを提示するので、この電子メトロノームを複数台用いた場合、それぞれが同期して、同じタイミングで同じテンポを提示するようになる。したがって、複数名で合奏する場合など、複数台の電子メトロノームを同時に用いて練習することができる。
また、請求項２に記載の電子メトロノームは、同期信号を送信するこの電子メトロノームを基準として、他の請求項１または請求項２に記載の電子メトロノームを同期させることができる。
また、請求項３に記載の発明では、同期信号が無線通信により供給されるので、有線の場合のように配線をする必要がなく、利便性が良い。
【０００８】
【発明の実施の形態】
以下、本発明の実施の形態を、図面を参照して説明する。
図１は、本発明の一実施の形態である電子メトロノームの外観（前面）を示す図である。
【０００９】
図１に示すように、本実施形態の電子メトロノーム１００は、同図に示す前面パネル１２０を備えており、演奏者が、前面パネル１２０上の発光ダイオード群１１１ａの発光の遷移を見ることによって、テンポを知ることができるように構成されている。具体的には、発光ダイオード群１１１ａを構成する各発光ダイオードを順次点灯・消灯させ、発光ダイオードの点灯位置を往復するように移動させることによって、振り子式メトロノームの針の動作を表現し、所定のテンポを演奏者に提示する。ここでは、一端の発光ダイオードの点灯開始から他端の発光ダイオードの点灯開始までの長さが、１拍を打つ長さとなる。そして、１拍分の点灯が終了すると、今度は、復路方向に向かって、同様に順次発光しさらに１拍分のテンポを提示する。さらに、端部の発光ダイオードが発光し１拍を提示すると同時に放音することにより、音によってもテンポを提示することができる。
【００１０】
前面パネル１２０には、各種設定をするためのスイッチ群が設けられている。サウンドＯＮ／ＯＦＦボタン１０７ａは、上記テンポを提示するための音の放音／消音を設定するためのスイッチである。ＭＯＤＥボタン１０７ｂは、１拍の長さを音符の種類によって指定するスイッチである。テンポＵＰ／ＤＯＷＮボタン１０７ｃは、提示するテンポを調整（上げ下げ）するためのスイッチである。ＢＥＡＴボタン１０７ｄは、１拍を分割した単位によって強弱を表現するためタイミングであるビートタイミングを示すための基準となる時間間隔を設定するスイッチである。
【００１１】
送信ボタン１０７ｅは、本電子メトロノーム１００を基準のメトロノームとして後述する同期信号を発信させるためのスイッチである。この送信ボタン１０７ｅが押されると、送信ＬＥＤ１１１ｂが点灯することにより、本電子メトロノーム１００が基準のメトロノームであって同期信号の送信中であることを使用者に知らせる。
【００１２】
一方、受信ボタン１０７ｆは、基準の電子メトロノーム１００から発信される同期信号を受信して、この同期信号で規定されるタイミングとテンポで（さらには、この同期信号で規定されるモードおよびビートタイミングで）本電子メトロノーム１００を動作させるためのスイッチである。この受信ボタン１０７ｆが押されると、受信ＬＥＤ１１１ｃが点灯することにより、本電子メトロノーム１００が同期中であることを使用者に知らせる。なお、送信ボタン１０７ｅと受信ボタン１０７ｆは、排他的に設定され、同時には設定されない。チャンネルセレクトボタン１０７ｇは、複数有る無線チャンネルの中から１つを選択するためのスイッチである。モニター１０９は、設定されたモードやビートタイミングやテンポや無線チャンネルのチャンネル番号等を表示するための表示器である。
【００１３】
次に、本実施の形態の電子メトロノーム１００の電気的構成について、図２を参照し説明する。
同図に示すように、電子メトロノーム１００は、バスを介して接続されたＣＰＵ（中央演算装置）１０１、ＲＡＭ（Ｒａｎｄｏｍ−Ａｃｃｅｓｓ  Ｍｅｍｏｒｙ）１０２、ＲＯＭ（Ｒｅａｄ−Ｏｎｌｙ  Ｍｅｍｏｒｙ）１０３、ＭＩＤＩインターフェース１０４、送受信部１０５、アンテナ１０５ａ、スイッチインターフェース１０６、ＳＷ（スイッチ）１０７、モニターインターフェース１０８、モニター１０９、ＬＥＤインターフェース１１０、ＬＥＤ１１１、音源１１２、スピーカー１１３を備えて構成されている。
【００１４】
ＣＰＵ１０１は、ＲＯＭ１０３に記憶された制御プログラムに従って、バスを介して接続された各部の制御を行う。ＲＡＭ１０２には、ＣＰＵ１０１のワークエリアなどが設定される。ＲＯＭ１０３には、上記制御プログラムや、テンポを提示する際の音等を音源１１２に再生させるための波形データなどが格納されている。ＭＩＤＩインターフェース１０４は、外部のＭＩＤＩシーケンサと接続する場合にそのインターフェース動作を行うものである。
【００１５】
送受信部１０５は、無線通信により、アンテナ１０５ａを介して同期信号の送受信を行う。スイッチインターフェース１０６は、図１に示した各種ボタンからなるＳＷ１０７とのインターフェース動作を行うものであり、モニターインターフェース１０８は、図１および図２に示すモニター１０９とのインターフェース動作を行うものである。また、ＬＥＤインターフェース１１０は、図１に示した発光ダイオード群１１１ａや、送信ＬＥＤ１１１ｂ、受信ＬＥＤ１１１ｃからなるＬＥＤ１１１とのインターフェース動作を行うものである。音源１１２は、例えばＰＣＭ音源等からなり、供給される波形データを再生しスピーカー１１３に放音させる。
【００１６】
このような構成によって、ＣＰＵ１０１は、スイッチインターフェース１０６を介して入力される前述の各種スイッチによる設定情報に基づいて、発光ダイオード群１１１ａの点灯／消灯や、所定の音の放音を制御するが、送信ボタン１０７ｅが押され、本電子メトロノーム１００が基準のメトロノーム（親機）となる場合には、本電子メトロノーム１００に設定されたテンポ、モード（ＭＯＤＥ）、ビートタイミング（ＢＥＡＴ）を含む図３に示すフォーマットを有するデータを生成し、これを無線により同期信号として送信させる。なお、図３に一例として示すデータフォーマットには、エラー訂正用のデータを含むが、これは周知の誤り訂正符号のいずれかを用いて設定されるデータである。
【００１７】
一方、受信ボタン１０７ｆが押され、本電子メトロノーム１００が、基準の電子メトロノーム１００から同期信号を受ける（子機として動作する）場合には、受信する同期信号に基づき、この信号に含まれる基準の電子メトロノーム１００の設定情報（テンポ、モード、ビートタイミング）に基づいて、発光ダイオード群１１１ａの点灯および消灯や、放音を制御できるようになっている。
なお、モードおよびビートタイミングに関しては、子機となる当該電子メトロノーム１００のＭＯＤＥボタン１０７ｂまたはＢＥＡＴボタン１０７ｄによりこれらが設定された場合には、その設定が優先され、受信する同期信号に含まれるこれらの設定情報は無視される。
【００１８】
さらに、本実施形態では、拍関連情報として、ビートタイミングを通常とは異なる態様で発光（点灯・消灯）することによって表示する。ビートタイミングとは、前述のように１拍を分割した単位によって強弱を表現するためタイミングであり、本実施形態では、１拍を１／４、１／３、１／２に分割した場合のタイミングを示すことができるようになっている。例えば、１／２に分けた場合は、発光ダイオードの点灯位置を６個移動させる毎に通常と異なる態様で点灯・消灯する。このようにすれば、１小節を拍数よりも細かく分割して強弱情報を提示する８ビートや１６ビートの曲でも、ビートタイミングを認識できるようになって便利である。本実施形態では、設定されたビートタイミングでない場合は通常のタイミングを示す発光を行い、ビートタイミングの場合はビートタイミングを示す発光（例えば、通常の発光よりも長い時間で発光）を行う。
【００１９】
また、本実施形態では、外部シーケンサを利用することもできる。外部シーケンサを利用する場合、電子メトロノーム１００は、ＭＩＤＩインターフェース１０４を介して入力されたＭＩＤＩデータに基づく動作をする。この場合は、接続された外部のシーケンサから入力されるＭＩＤＩデータに基づく所定のテンポを演奏者に提示する。
【００２０】
上記のように外部シーケンサを利用する場合、具体的には、ＭＩＤＩデータに含まれるＭＩＤＩタイミングクロックに基づいて制御する。ＭＩＤＩタイミングクロックは、ＭＩＤＩにおける同期時の基準クロックとなるテンポに従って発生する周期信号であり、４分音符１拍に対応して２４回発生するようになっている。ここで、一般的にテンポは１分間あたりの４分音符の数である。従って、テンポが６０であれば、ＭＩＤＩタイミングクロックは、１（秒）／２４（回）＝約０．０４秒間隔で入力される。すなわち、ＭＩＤＩタイミングクロックは単位時間（１分間）あたり６０／（１／２４）＝１４４０回（１拍あたりのＭＩＤＩタイミングクロックの入力回数の６０倍）入力されることになり、本実施形態では発光ダイオード群１１１ａの発光位置が１分間に３０回往復する。
【００２１】
そして、テンポが変化すれば、単位時間あたりに入力されるＭＩＤＩタイミングクロックの数が変化し、このテンポの変化に応じて発光ダイオード群１１１ａの発光周期が変化する。例えば、電子メトロノーム１００を、１拍の長さを４分音符と設定して用いる場合には、ＭＩＤＩタイミングクロックが２４回入力される時間（１秒）が１拍分の長さに相当することになる。この場合、ＭＩＤＩタイミングクロックが２回入力される毎に発光ダイオードの点灯位置を全体の１／１２ずつ（発光ダイオード群１１１ａが１２個の発光ダイオードで構成される場合は１つずつ）移動させることによって、１拍で１往路（または１復路）分の発光ダイオード群１１１ａの点灯位置を移動させる。
【００２２】
次に、このように構成された本実施形態の電子メトロノーム１００の動作について、図４，５を参照し説明する。
［親機としての動作］
使用者が、親機となる電子メトロノーム１００に対し、テンポ、モード、ビートタイミング、ならびに無線チャンネルを、対応するテンポＵＰ／ＤＯＷＮボタン１０７ｃ、ＭＯＤＥボタン１０７ｂ、ＢＥＡＴボタン１０７ｄ、チャンネルセレクトボタン１０７ｇを用いて設定すると（ステップＳ１０１）、モニター１０９にこれらの設定状態が表示される（ステップＳ１０２）。
続いて、使用者により送信ボタン１０７ｅが押されると（ステップＳ１０３）、送信ＬＥＤ１１１ｂを点灯する（ステップＳ１０４）。そして、設定された無線チャンネルの受信を行い（ステップＳ１０５）、この無線チャンネルで他の無線システムと競合しないか受信チェックを行ってから同期信号の送信許可をする。
【００２３】
ここで、無線チャンネルの競合が無く送信許可されたとすると（ステップＳ１０６の判断でＮＯの判定）、本電子メトロノーム１００は、上記にて設定された設定値を含む図３に示す前述のフォーマットからなるデータを含む同期信号を送信する（ステップＳ１０７）。この状態で複数台の電子メトロノーム１００を使っての練習ができるようになる。
なお、設定された無線チャンネルで、他の電波の受信が確認された場合は（ステップＳ１０６の判断でＹＥＳの判定）、送信ＬＥＤ１１１ｂの点滅をするなどしてエラー表示をし送信不可とする（ステップＳ１０８）。この場合は、使用者は、無線チャンネルを変更しあらためて同期信号送信の操作をすることになる。
【００２４】
［子機としての動作］
はじめに、使用者は、チャンネルセレクトボタン１０７ｇで、親機と同じ無線チャンネルに合わせる（ステップＳ２０１）。このときの設定は、モニター１０９に表示される（ステップＳ２０２）。
続いて、受信ボタン１０７ｆが押されると（ステップＳ２０３）、受信ＬＥＤ１１１ｃを点灯し（ステップＳ２０４）、指定された無線チャンネルの受信を開始する（ステップＳ２０５）。このとき指定のチャンネルで同期信号の受信を確認できた場合は（ステップＳ２０６の判断でＹＥＳの判定）、親機が送信する同期信号を受信する（ステップＳ２０７）。一方、受信を確認できないときは（ステップＳ２０６の判断でＮＯの判定）、受信ＬＥＤ１１１ｃを点滅させるなどしてエラー表示をする（ステップＳ２０８）。
【００２５】
親機が送信する同期信号が受信できた場合、本電子メトロノーム１００は、同期信号に設定されたテンポ、モード、ビートタイミングで、かつ同期信号に含まれるシンクロデータを受信するタイミングで、テンポの提示を開始する。すなわちこのタイミングで発光ダイオード群１１１ａの一端の発光ダイオードを点灯し、さらにサウンドＯＮの状態ではこのタイミングで所定の音を放音するようにして、動作を開始する。これで発光ダイオード群１１１ａが左右に順に点灯し、親機のそれに同期して動作することになる。同期中は、子機の電子メトロノーム１００では、テンポＵＰ／ＤＯＷＮボタン１０７ｃは無効となり、テンポ表示も親機と同じになる。なお、モード、ビートタイミングに関しては、前述のように子機側の操作による設定が優先され、この場合、受信する同期信号の対応する設定は無視される。
なお、上記で説明した各動作フローは一例であり、上記の処理の流れに限定されるものではない。
【００２６】
以上、この発明の実施形態を、図面を参照して詳述してきたが、具体的な構成はこの実施形態に限られるものではなく、この発明の要旨を逸脱しない範囲の構成等も含まれる。例えば、上記実施の形態では、基準となる電子メトロノームから同期信号を送信しているが、同期信号を送信する専用の装置を用いるようにしてもよい。また、無線通信として、赤外線通信を利用することもできる。
【００２７】
【発明の効果】
以上、詳細に説明したように、本発明による電子メトロノームを複数台用いた場合、それぞれが同期して、同じタイミングで同じテンポを提示するようになるので、複数名で合奏する場合など、複数台の電子メトロノームを同時に用いて練習することができる。
また、請求項３に記載の発明によれば、同期信号が無線通信により供給されるので、有線の場合のように配線をする必要がなく、利便性が良い。
【図面の簡単な説明】
【図１】本発明の一実施の形態である電子メトロノームの外観の一例を示す図である。
【図２】同電子メトロノームの電気的構成を示すブロック図である。
【図３】同期信号のデータフォーマットの一例である。
【図４】同電子メトロノーム（親機）の動作を説明するフローチャートである。
【図５】同電子メトロノーム（子機）の動作を説明するフローチャートである。
【符号の説明】
１００…電子メトロノーム、１０１…ＣＰＵ、１０２…ＲＡＭ、１０３…ＲＯＭ、１０４…ＭＩＤＩインターフェース（ＭＩＤＩ  Ｉ／Ｆ）、１０５…送受信部、１０５ａ…アンテナ、１０６…スイッチインターフェース（ＳＷ  Ｉ／Ｆ）、１０７…ＳＷ、１０７ａ…サウンドＯＮ／ＯＦＦボタン、１０７ｂ…ＭＯＤＥボタン、１０７ｃ…テンポＵＰ／ＤＯＷＮボタン、１０７ｄ…ＢＥＡＴボタン、１０７ｅ…送信ボタン、１０７ｆ…受信ボタン、１０７ｇ…チャンネルセレクトボタン、１０８…モニターインターフェース（モニターＩ／Ｆ）、１０９…モニター、１１０…ＬＥＤインターフェース（ＬＥＤ  Ｉ／Ｆ）、１１１…ＬＥＤ、１１１ａ…発光ダイオード群、１１１ｂ…送信ＬＥＤ、１１１ｃ…受信ＬＥＤ、１１２…音源、１１３…スピーカー、１２０…前面パネル
【図１】
2004317404.tif 000003
【図２】
2004317404.tif 000004
【図３】
2004317404.tif 000005
【図４】
2004317404.tif 000006
【図５】
2004317404.tif 000007